(57)【要約】【課題】動物のブラッシング時に絡みついた毛除去に好適な動物用スリッカーブラシを提供する。【解決手段】ブラッシング方向に先端が指向した多数のブラシピン１をブラシ面２に植設したブラシ台３と、ブラシ面２の外周縁部を取り囲む形状に形成され且つブラシ面２の外周縁部に沿わせたセット状態とブラシ面２から離れた離脱状態とに揺動可能となるようにブラシ台３に対してブラッシング方向の先方側で枢支されたクリーナ枠４と、このクリーナ枠４の内側にブラッシング方向に沿うように架設され且つクリーナ枠４をセット状態としたときに、ブラシピン１の付根部に配設され離脱状態としたときにブラシピン１の先端から抜け出るクリーナ線５と、を備える。【選択図】      図１
2004194825.tif 000002
【特許請求の範囲】
【請求項１】
ブラッシング方向に先端が指向した多数のブラシピンをブラシ面に植設したブラシ台と、ブラシ面の外周縁部を取り囲む形状に形成され且つブラシ面の外周縁部に沿わせたセット状態とブラシ面から離れた離脱状態とに揺動可能となるように前記ブラシ台に対してブラッシング方向の先方側で枢支されたクリーナ枠と、このクリーナ枠の内側に前記ブラッシング方向に沿うように架設され且つクリーナ枠をセット状態としたときにブラシピンの付根部に配設され離脱状態としたときにブラシピンの先端から抜け出るクリーナ線と、を備えていることを特徴とする動物用スリッカーブラシ。
【請求項２】
前記クリーナ線は、クリーナ枠の相対峙する２辺間に１本の線材を数回折り返して架設することによってブラッシング方向と平行な複数箇所に設けられていることを特徴とする請求項１記載の動物用スリッカーブラシ。
【請求項３】
前記ブラシ面及びクリーナ枠は長方形状に形成されていて、その短辺がブラッシング方向に沿うように配設され、ブラッシング方向の先方側に位置するブラシ台の長辺部分にハンドルを設けていることを特徴とする請求項１又は２記載の動物用スリッカーブラシ。
【請求項４】
ブラシ台とハンドルとの境界部の近傍にクリーナ枠を枢支していることを特徴とする請求項３記載の動物用スリッカーブラシ。
【発明の詳細な説明】
【０００１】
【発明の属する技術分野】
本発明は、動物用スリッカーブラシに関するものである。
【０００２】
【従来の技術】
犬、猫等の動物用の抜け毛を取り除くブラシとして、スリッカーブラシが従来より知られており、これは、ブラシピンがくの字状に折曲され、その先端に抜け毛を引っ掛けるようにして取り除くものとなっている。
しかしながら、このスリッカーブラシは、ブラシピンがくの字状に折曲されているが故に、ブラッシング後ブラシピンに絡みついた抜け毛を除去するのが非常に困難であり、別の小ブラシを用いて取り除くといった面倒な作業が必要であった。
【０００３】
一方、ブラシピンに絡みついた毛を簡単に取り除く技術として、下記特許文献１，２に記載されたものが従来より公知である。
特許文献１は、ブラシに対して被毛除去板を揺動自在に枢支し、この被毛除去板にブラシピンが差し通る長孔を複数形成し、この被毛除去板をブラシに接した状態から離れる方向へ揺動することで、ブラシピンに絡みついた毛を被毛除去板に引っかけて取り除くようにしたものとなっている。
また、特許文献２は、ブラシに対して格子状枠を揺動自在に枢支し、この格子状枠の内側に、ブラシピンの列間に挿入される線材を設け、格子状枠をブラシに接した状態から離れる方向に揺動することで、ブラシピンに絡みついた毛を線材に引っかけて取り除くようにしたものとなっている。
【０００４】
【特許文献１】
特開２００２−１８６３７４号公報（第２頁、第３図）
【特許文献２】
実開平６−２７５５４号公報（第２頁、第１図）
【０００５】
【発明が解決しようとする課題】
上記特許文献１，２に開示されているブラシは、いずれもブラシピンが真っ直ぐでブラシ台に対してほぼ直立されたものとなっており、このようなブラシピンに絡みついた抜け毛を取り除くということに限れば、それなりに有用であった。
しかしながら、ブラシピンがくの字状に折曲したスリッカーブラシでは、単純に特許文献１，２の被毛除去板や格子状板をブラシの適当な位置に枢支しただけでは、被毛除去板等に押し上げられた抜け毛がブラシピンの先端に引っ掛かり、到底除去することはできなかった。
【０００６】
本発明は、上記の問題に鑑みてなされたものであり、ブラシピンの先端がブラッシング方向に指向しているスリッカーブラシにおいて、ブラシピンに絡みついた毛を好適に除去できるようにすることを目的とする。
【０００７】
【課題を解決するための手段】
この技術的課題を解決するための本発明の技術的手段は、以下の点にある。
すなわち、ブラッシング方向に先端が指向した多数のブラシピンをブラシ面に植設したブラシ台と、ブラシ面の外周縁部を取り囲む形状に形成され且つブラシ面の外周縁部に沿わせたセット状態とブラシ面から離れた離脱状態とに揺動可能となるように、ブラシ台に対してブラッシング方向の先方側で枢支されたクリーナ枠と、このクリーナ枠の内側に前記ブラッシング方向に沿うように架設され且つクリーナ枠をセット状態としたときにブラシピンの付根部に配設され離脱状態としたときにブラシピンの先端から抜け出るクリーナ線と、を備えていることを特徴とする。
【０００８】
また、クリーナ線は、クリーナ枠の相対峙する２辺間に１本の線材を数回折り返して架設することによってブラッシング方向と平行な複数箇所に設けられており、ブラシ面及びクリーナ枠は長方形状に形成されていて、その短辺がブラッシング方向に沿うように配設され、ブラッシング方向の先方側に位置するブラシ台の長辺部分にハンドルを設けていることを特徴とする。そして、ブラシ台とハンドルとの境界部の近傍にクリーナ枠を枢支している。
【０００９】
【発明の実施の形態】
以下、本発明の実施の形態を図面に基づいて説明する。
図１〜図５は本発明の実施の一形態を示すものである。図１〜図３に示すように、本発明にかかる動物用スリッカーブラシ６は、ブラシ台３、クリーナー枠４並びにハンドル２０とを一体に備えている。ブラシ台３の一方の面には、ブラシ面２が設けられており、そのブラシ面２にはブラシピン１が植設されている。ブラシ台３の長辺部分にハンドル２０が、クリーナ枠４にクリーナ線５が、各々設けられている。ブラシ台３は、ハンドル２０が設けられた部分を長辺とする長方形である。
【００１０】
図１は、ブラシ面２の外周縁部を取り囲む長方形の形状に形成されたクリナー枠４が、ブラシ面２の外周縁部に沿わせてセットされた状態を示した斜視図である。図２は、クリーナ枠４がブラシ面２から離れた離脱状態を示した斜視図である。そして、図２の中央に図示した矢印（湾曲形状）は、ブラシ台３とハンドル２０との境界部２１の近傍にあって、軸２８を受ける軸受２９で枢支されているクリーナ枠４が、セット状態である図１と離脱状態である図２との間を往復することを示している。
【００１１】
図３は、クリナー枠４が、ブラシ面２の外周縁部に沿わせたセット状態である前記図１の状態を、真横から示した図である。前述のように、ブラシ台３の一方の面に、ブラシ面２が設けられており、そのブラシ面２にはブラシピン１が植設されているが、その反対の面には、ブラシ面２あるいはブラシピン１は設けられておらず、手で握るためのハンドル２０が設けられている。
図４（ａ）は、クリーナ枠４のみの図であって、ブラシ面２の外周縁部に沿う面２４の反対面２３を、正面から示したものである。クリーナ線５をクリーナ枠４に架設するための第１保持溝１９が見られる。図４（ｃ）は、クリーナ枠４の拡大したＡ−Ａ断面（図４（ａ））である。第１保持溝１９は、クリーナ枠４の反対面２３の表面に穿かれたものであって、反対面２３の表面にクリーナ線５を線長手方向に保持するものである。図４（ｂ）は、クリーナ枠４の拡大したＢ-Ｂ断面（図４（ａ））である。第１保持溝１９は、クリーナ枠４の反対面２３の表面に穿かれたもので、クリーナ枠４のブラシ面２の外周縁部に沿う面２４には、クリーナ枠４の長辺２５方向に第２保持溝２２が穿かれている。
【００１２】
また、図５は、1本のクリーナ線５に沿ったブラシピン１、ブラシ面２、クリーナ枠４、ブラシ台３を示す断面図である。本発明の動物用スリッカーブラシ１のブラシピン１は、図５に示すように、くの字状に折曲している。くの字状に折曲された方向は、ペット等の動物の、尻尾、腕、足、おなか、太ももなどの毛をブラッシングする方向であって、ブラッシングし易いように、実際にブラッシング操作を行う人間が手で握ることができるハンドル２０がブラシ台のブラッシング方向の先方側に突設して設けられている。
【００１３】
図２の中央に図示した前記矢印の方向への往復（大概は、クリーナ枠４のつまみ２６を人間が手で掴んで動かすことになる。）において、クリーナ枠４が前記セット状態から離脱状態へのブラッシング方向に動く方向、すなわち クリーナ枠４の開方向が、ブラシピンに絡んだ抜け毛の除去を行う方向である。（絡んだ除去すべき毛の状況は省略している。）逆に、クリーナ枠４が前記離脱状態からセット状態ヘの反ブラッシング方向に動く方向、すなわちクリーナ枠４の閉方向が、（再度の）ブラッシングを行うための準備を行う方向である。なお、ブラッシング方向は、図３並びに図５の矢印で、その方向を示している。
【００１４】
クリーナ枠４は、可撓性を持つプラスチック製であって、例えばクリーナ枠４の相対する２つの長辺２５に対して短辺２４方向の力を加えると、その長辺２３又は短辺２４には、自己の撓みを回復しようとする力が発生する。なお、クリーナ枠４は、プラスチック製に限定することはなく、プラスチック以外の金属等でも使用できる。
図４で説明したように、１本の線材、例えばバネ性を持つ鋼細線等の線材を、第１保持溝１９と第２保持溝２２に、突起２７を介して折り返して嵌め込むことにより、クリーナ枠４の内側に複数のクリーナ線５がクリーナー枠短辺２４に平行に架設される。図１〜２の本実施例では、１０ｍｍ間隔で８本のクリーナ線５が等間隔で架設されている。第１、２保持溝１９、２２の溝半径が０.２５ｍｍで、クリーナ線はこれに嵌め込むことができるような線径を有している。ただし、クリーナ線の線径や本数、間隔などは、ブラッシングされる動物により例えば毛の長さ等に応じて決定されるものである。
【００１５】
また、このクリーナ線５は、可撓性を持つクリーナ枠４に架設されるため、すなわちクリーナ枠４の２つの長辺２５の間に力（張力）を加えながらクリーナ線５が架設されることにより、この長辺２３又は短辺２４は、自己の撓みを回復しようとする力をクリーナ線５に与えることになる。その結果、クリーナ線５には張力が与えられる。
また、図４〜５で明らかなように、ブラシ台３に設けられたブラシ面２は中央部が、ブラシ枠４から膨出した湾曲形状であって、弾力性のあるゴム製等であるため、図１あるいは図３〜４のようなブラシ枠４がセット状態においては、張力を持って架設されたクリーナ線５は、膨出した湾曲形状を持ったブラシ面２に密着して、かつブラシ面２に植設されたブラシピン１の根元まで入り込むことが可能となる。
【００１６】
くの字状に折曲したブラシピン１の先端が指向する方向にブラッシングを行うことで、動物の毛をブラシピン１に絡み付かせながら、取り除くことができる。ブラシピンに絡み付いた毛は、ブラシ枠４をセット状態から離脱状態にすることにより、クリーナ線５の張力の助けと相俟って、ブラシピン１の根本から除去されることになる。
すなわち、図５に示したブラッシング方向ヘのクリーナ枠４のセット状態から離脱状態への開方向、すなわちクリーナ枠５の動く方向と、ブラシピン１の先端が指向する方向とが同じ向きをしているため、絡み付いた動物の毛がブラシピン１から抜けやすいものとなる。それは、クリーナ線５の動く方向と逆の方向にブラシピン１先端が指向しておれば、絡み付いた動物の毛をブラシピン１に押し付けることとなり、動物の毛がブラシピンに引っかかって除去し難いものとなることからも明らかである。
【００１７】
なお、ブラシピン１が真っ直ぐであって、ブラッシング方向に先端が指向するように斜めに植設されたものでもよい。
本発明の動物用スリッカーブラシ６は、ブラッシング方向の長さと比較して、ブラッシング方向に垂直な長さのほうが長い長方形をしており、この長方形は、巾の広いブラッシングを行うため、一般には都合が良い。もちろん、本発明の動物用スリッカーブラシ６の形状は、上記長方形に限定するものではなく、ブラッシング相手の動物の形態により変化させうるものである。
【００１８】
【発明の効果】
本発明によれば、動物のブラッシング時に絡みついた毛除去に好適な動物用スリッカーブラシを提供することが可能となる。
【図面の簡単な説明】
【図１】ブラシ枠がセット状態での動物用スリッカーブラシの斜視図である。
【図２】ブラシ枠が離脱状態での動物用スリッカーブラシの斜視図である。
【図３】図１の横からの外観図である。
【図４】（ａ）はブラシ枠、（ｂ）はＢ−Ｂ線断面（拡大図）、（ｃ）はＡ−Ａ線断面（拡大図）である。
【図５】１本のブラシ線に沿ったブラシピン近傍の断面図である。
【符号の説明】
１     ブラシピン
２     ブラシ面
３     ブラシ台
４     クリーナ枠
５     クリーナ線
６     スリッカーブラシ
２４     クリーナ枠短辺
２５     クリーナ枠長辺
【図１】
2004194825.tif 000003
【図２】
2004194825.tif 000004
【図３】
2004194825.tif 000005
【図４】
2004194825.tif 000006
【図５】
2004194825.tif 000007